(57)【特許請求の範囲】
【請求項１】
誘電体板と、
前記誘電体板の内部または板面に設けられている導電体層と、
前記導電体層に設けられており、それぞれが環形状を有する複数の第１ループ状スロットと、
前記導電体層に設けられており、各第１ループ状スロットの環形状の内側に位置し、環形状を有する第２ループ状スロットと、
を備え、
複数の前記第１ループ状スロットが、複数の列をなし、
複数の前記第２ループ状スロットが、各前記第１ループ状スロットの環形状の内側に位置する、
ことを特徴とする車両搭載用周波数選択板。
【請求項２】
請求項１に記載の車両搭載用周波数選択板において、
複数の前記第１ループ状スロットおよび複数の前記第２ループ状スロットのうち少なくとも１つは、導電体が欠損していない導電体充足区間を有する、
ことを特徴とする車両搭載用周波数選択板。
【発明の詳細な説明】
【技術分野】
【０００１】
本発明は、車両搭載用の周波数選択板に関し、特に、導電体層にスロットが設けられた周波数選択板に関する。
【背景技術】
【０００２】
自動車において、携帯電話、ディジタルテレビ、ＥＴＣ（Ｅｌｅｃｔｒｏｎｉｃ  Ｔｏｌｌ  Ｃｏｌｌｅｃｔｉｏｎ）、無線ＬＡＮ端末（Ｌｏｃａｌ  Ａｒｅａ  Ｎｅｔｗｏｒｋ）等の無線通信機器が用いられる機会が増えている。このような無線通信機器は、ノイズ電磁波の影響を受けた場合、本来の動作性能を十分に発揮できないことがある。
【０００３】
自動車の車室に到来するノイズ電磁波には、他の自動車の電気回路から発せられるものや、自らに搭載される電気回路から発せられるものがある。例えば、ハイブリッド自動車および電気自動車では、電池電圧を昇圧する昇圧コンバータ回路、交流直流変換を行うインバータ回路等が用いられている。これらの電気回路からは、スイッチングに基づくノイズ電磁波が発せられる。近年のハイブリッド自動車および電気自動車の普及により、ノイズ電磁波が無線通信機器に及ぼす影響、すなわち、無線通信機器に対するノイズ電磁波干渉は顕著になりつつある。
【０００４】
自動車のボデーは、接地導体としての金属で形成されることが多い。そのため、ボデーによる遮蔽効果によってノイズ電磁波を減衰させ、無線通信機器に対するノイズ電磁波干渉を抑制する設計が可能となる。
【０００５】
なお、下記の非特許文献１には、本願発明の技術的課題に関連する技術として、周波数選択板が記載されている。
【先行技術文献】
【非特許文献】
【０００６】
【非特許文献１】Mudar A.Al-Joumayly and Nader Behdad,”A Generalized Method for Synthesizing Low-Profile, Band-Pass Frequency Selective Surfaces With Non-Resonant Constituting Elements”IEEE Transactions on Antennas and Propagation, Vol.58, No.12, December 2010.
【非特許文献２】Tohru IWAI and Kennichi HATAKEYAMA.members.”Frequency Selective Shielding Screen by Use of Artificial Media”IEICE TRANS CMMUN..VOL E88B.NO.8 AUGUST 2005.pp.3294-3299
【発明の概要】
【発明が解決しようとする課題】
【０００７】
上記のような金属製のボデーは、周波数選択性を持たせた設計が困難である。そのため、ノイズ電磁波のみならず、無線通信機器で使用される無線信号をも減衰させてしまうことがある。また、近年の自動車のボデーは、金属に代わって樹脂等で形成された部分が多く、ノイズ電磁波の遮蔽効果が弱い傾向にある。さらに、使用周波数の異なる複数の無線通信機器が用いられる場合には、ノイズ電磁波を減衰させる設計が困難となることが多い。
【０００８】
本発明は、自動車で使用される無線通信機器に対するノイズ電磁波干渉を抑制することを目的とする。
【課題を解決するための手段】
【０００９】
本発明は、誘電体板と、前記誘電体板の内部または板面に設けられている導電体層と、前記導電体層に設けられており、それぞれが環形状を有する複数の第１ループ状スロットと、前記導電体層に設けられており、各第１ループ状スロットの環形状の内側に位置し、環形状を有する第２ループ状スロットと、を備え、複数の前記第１ループ状スロットが、複数の列をなし、複数の前記第２ループ状スロットが、各前記第１ループ状スロットの環形状の内側に位置する、ことを特徴とする。望ましくは、複数の前記第１ループ状スロットおよび複数の前記第２ループ状スロットのうち少なくとも１つは、導電体が欠損していない導電体充足区間を有する。
【００１０】
また、本発明に係る車両搭載用周波数選択板は、望ましくは、各前記第１ループ状スロットの環形状は長方形状であり、各前記第２ループ状スロットの環形状は円形状である。
【００１１】
なお、以下の説明では、ループ状スロットを縦方向に列をなし横方向に行をなすよう配列するという表現を、ループ状スロットを縦方向および横方向に配列する、と表現する。
【発明の効果】
【００１２】
本発明によれば、自動車で使用される無線通信機器に対するノイズ電磁波干渉を抑制することができる。
【図面の簡単な説明】
【００１３】
【図１】第１実施形態に係る周波数選択板の構成を示す図である。
【図２】周波数選択ブロックの構成を示す図である。
【図３】第１実施形態に係る周波数選択板のシミュレーション結果を示す図である。
【図４】第２実施形態に係る周波数選択板の周波数選択ブロックの構成を示す図である。
【図５】第２実施形態に係る周波数選択板のシミュレーション結果を示す図である。
【図６】周波数選択板の例を示す図である。
【図７】導電体層を誘電体板の内部に設けた周波数選択ブロックの構成を示す図である。
【発明を実施するための形態】
【００１４】
図１には、本発明の第１実施形態に係る周波数選択板１０の斜視図が示されている。この周波数選択板１０は、２つの透過周波数ｆ１およびｆ２において電磁波を透過させ、その他の周波数において電磁波を減衰させる。周波数選択板１０を自動車に用いることで、周波数ｆ１およびｆ２を使用周波数とする２種類の無線通信機器に対し、車室内におけるノイズ電磁波干渉を抑制することができる。
【００１５】
周波数選択板１０の構造について説明する。周波数選択板１０は、誘電体板１２、および、誘電体板１２の板面に設けられた導電体層１４を備える。図１には導電体層１４の側を正面とした図が描かれている。周波数選択板１０は、縦方向および横方向に配列された複数の周波数選択ブロック１６から構成される。図１には、縦方向に４個の周波数選択ブロック１６が配列され、横方向に４個の周波数選択ブロック１６が配列された例が示されている。ただし、周波数選択板１０に用いられる周波数選択ブロック１６の数はこれに限られない。
【００１６】
図２（ａ）には、周波数選択ブロック１６の拡大図が示されている。また、図２（ｂ）には、周波数選択ブロック１６のＡＢ線断面図が示されている。周波数選択ブロック１６の導電体層１４には、第１ループ状スロット１８および第２ループ状スロット２２が形成されている。第１ループ状スロット１８は、導電体層１４における導電体を長方形の環形状に欠損させたスロットである。ただし、環形状の一部には、導電体を欠損させていない導電体充足区間２０が形成されている。第２ループ状スロット２２は、導電体層１４における導電体を円環形状に欠損させたスロットである。ただし、円環形状の一部には、導電体を欠損させていない導電体充足区間２４が形成されている。
【００１７】
第２ループ状スロット２２が占める領域は、第１ループ状スロット１８が占める領域よりも小さい。第１ループ状スロット１８に囲まれる領域には、複数の第２ループ状スロット２２が配列されている。図２には、縦方向に３個の第２ループ状スロット２２が配列され、横方向に３個の第２ループ状スロット２２が配列された例が示されている。ただし、第１ループ状スロット１８に囲まれる領域における第２ループ状スロット２２の数はこれに限られない。
【００１８】
誘電体板１２には、例えば、ガラス、プラスチック（ポリカーボネート樹脂、ＡＢＳ樹脂等）、セラミック等の誘電体材料が用いられる。市販の誘電体板として広く知られているものには、プリント配線板用の材料としてＢＴレジン、ＦＲ−４等がある。誘電体層１２の材料としては、透明なものを用いてもよいし、不透明なものを用いてもよい。また、導電体層１４には、金、銀、銅、アルミニウム、チタン等の金属材料が用いられる。誘電体板１２の材料としてガラスが用いられ、導電体層１４の材料として銀が用いられる場合には、ガラスの板面に銀ペーストをスクリーン印刷する工法を用いてもよい。また、誘電体板１２に導電体層１４を設ける工法には、各材料の性質に応じて、蒸着、スパッタリング、インモールド成形等を用いてもよい。その他、銅箔が接着されたプリント配線板に対し、薬品を用いたエッチングを施してもよい。
【００１９】
本実施形態に係る周波数選択板１０においては、第１ループ状スロット１８の一周の長さをおよそ一波長とする電磁波の周波数が、第１透過周波数ｆ１となる。したがって、第１ループ状スロット１８の縦辺の長さをＬ１とし、横辺の長さをＬ２とした場合、第１透過周波数の電磁波の波長と２×（Ｌ１＋Ｌ２）とがほぼ一致するようＬ１＋Ｌ２が決定される。すなわち、電磁波の伝搬速度をｃとすると、２×（Ｌ１＋Ｌ２）≒ｃ／ｆ１である。ここで、これらの長さが必ずしも完全に一致しない理由は、スロットの縁に境界条件が満たされるよう近傍電磁界が発生し、物理的な長さと電気長とに差異が生じるためである。
【００２０】
なお、導電体充足区間２０の長さｄ１、第１ループ状スロット１８の幅Ｗ１、第１ループ状スロット１８の縦方向の配列周期ｐ１および横方向の配列周期ｑ１は、第１透過周波数ｆ１や、後述する反射損失特性、挿入損失特性等が最適化されるよう決定される。
【００２１】
また、本実施形態に係る周波数選択板１０においては、第２ループ状スロット２２の一周の長さをおよそ一波長とする電磁波の周波数が第２透過周波数ｆ２となる。したがって、第２ループ状スロット２２の内周の半径をＲ、第２ループ状スロット２２の幅をＷ２とした場合、第２透過周波数ｆ２の電磁波の波長と２π（Ｒ＋Ｗ２／２）がほぼ一致するよう、ＲおよびＷ２が決定される。すなわち、２π（Ｒ＋Ｗ２／２）≒ｃ／ｆ２である。また、導電体充足区間２４の長さｄ２、第２ループ状スロット２２の幅Ｗ２、縦方向の配列周期ｐ２および横方向の配列周期ｑ２は、第２透過周波数ｆ２や、後述する反射損失特性、挿入損失特性等が最適化されるよう決定される。
【００２２】
次に、周波数選択板１０の動作について説明する。周波数選択板１０に電磁波が入射すると、第１ループ状スロット１８および第２ループ状スロット２２には、境界条件が満たされるような電磁界が励振される。具体的には、スロットの延伸方向に垂直な方向の電界と、その電界に垂直な方向の磁界が励振される。
【００２３】
まず、入射電磁波の周波数が第１透過周波数ｆ１である場合、第１ループ状スロット１８に励振された電磁界が共振する。さらに、導電体層１４に形成された複数の第１ループ状スロット１８は電気的または磁気的に結合する。したがって、第１透過周波数ｆ１の電磁波が入射されることで、複数の第１ループ状スロット１８は結合共振し、入射電磁波が到来した側とは反対側に結合共振に基づく電磁波を放射する。
【００２４】
次に、入射電磁波の周波数が第２透過周波数ｆ２である場合、第２ループ状スロット２２に励振された電磁界が共振する。さらに、導電体層１４に形成された複数の第２ループ状スロット２２は電気的または磁気的に結合する。したがって、第２透過周波数ｆ２の電磁波が入射されることで、複数の第２ループ状スロット２２は結合共振し、入射電磁波が到来した側とは反対側に結合共振に基づく電磁波を放射する。
【００２５】
また、入射電磁波の周波数が第１透過周波数ｆ１および第２透過周波数ｆ２のいずれでもない場合、第１ループ状スロット１８および第２ループ状スロット２２は非共振状態となる。これによって、周波数選択板１０を通過しようとする電磁波は減衰する。
【００２６】
このような動作によって、周波数選択板１０は、第１透過周波数ｆ１および第２透過周波数ｆ２において電磁波を透過させる。また、第１透過周波数ｆ１および第２透過周波数ｆ２以外の周波数において電磁波を減衰させる。さらに、各透過周波数においては結合共振が用いられるため、各透過周波数において透過周波数帯域幅を広げ、反射損失および挿入損失を小さくすることができる。ここで、反射損失は、入射電磁波の電力をＰｉ、反射電磁波の電力をＰｒとしたときに、Ｓ１１＝１０ｌｏｇ（Ｐｒ／Ｐｉ）として定義される。本願明細書では、「反射損失が小さい」とは、Ｓ１１の絶対値が大きいことをいうものとする。これに従えば、反射損失が小さい程、反射電磁波の電力は小さいこととなる。また、挿入損失は、透過電磁波の電力をＰｔとしたときに、Ｓ２１＝１０ｌｏｇ（Ｐｔ／Ｐｉ）として定義される。本願明細書では、「挿入損失が小さい」とは、Ｓ２１の絶対値が小さいことをいうものとする。これに従えば、挿入損失が小さい程、透過電磁波の電力は大きいこととなる。
【００２７】
第１実施形態に係る周波数選択板の設計例について説明する。第１透過周波数ｆ１は、携帯電話で用いられる周波数８００ＭＨｚとし、第２透過周波数ｆ２は、ＥＴＣで用いられる周波数５．８ＧＨｚとした。誘電体板１２には、厚さが３．５ｍｍ、比誘電率が８．２のガラスを用い、導電体層１４には銀を用いた。その他の設計値は次の通りである。ｐ１＝ｑ１＝７４ｍｍ、Ｌ１＝Ｌ２＝６４ｍｍ、ｄ１＝４．０ｍｍ、Ｗ１＝４．０ｍｍ、Ｒ＝４．６ｍｍ、ｄ２＝２．０ｍｍ、Ｗ２＝２．０ｍｍ。
【００２８】
図３には、この設計例における挿入損失特性および反射損失特性のシミュレーション結果が示されている。この特性は、周波数選択ブロック１６が、縦方向および横方向に無限に配列され、板面に垂直に平面波が入射したものとして計算されたものである。横軸は周波数を示し、左の縦軸は挿入損失を示し、右の縦軸は反射損失を示す。図３から明らかなように、８００ＭＨｚ付近および５．８ＧＨｚ付近で、挿入損失および反射損失が小さくなっている。
【００２９】
次に、第２実施形態に係る周波数選択板について説明する。図４には、その周波数選択ブロック２６の構成が示されている。図２に示される構成要素と同一の構成要素については同一の符号を付してその説明を省略する。第２実施形態に係る周波数選択板は、第１実施形態に係る周波数選択板と同様、複数の周波数選択ブロック２６が、縦方向に周期間隔ｐ１で配列され、横方向に周期間隔ｑ１で配列された構成を有する。
【００３０】
周波数選択ブロック２６は、第１ループ状スロット２８として、導電体層１４における導電体を円環形状に欠損させたスロットを備える。円環形状の一部には、導電体を欠損させない導電体充足区間３０が形成されている。第２ループ状スロット２２の構成は、第１実施形態と同様である。
【００３１】
第２ループ状スロット２２が占める領域は、第１ループ状スロット２８が占める領域よりも小さい。第１ループ状スロット２８に囲まれる領域には、複数の第２ループ状スロット２２が配列されている。図４には、上から順に１個、横方向に３個、横方向に５個、横方向に３個、および１個の第２ループ状スロット２２が配列された例が示されている。ただし、第１ループ状スロット２８に囲まれる領域における第２ループ状スロット２２の数はこれに限られない。
【００３２】
ここで、第１ループ状スロット２８の内周の半径をＲ３、第１ループ状スロット２８の幅をＷ３とした場合、第１透過周波数ｆ１の電磁波の波長と２π（Ｒ３＋Ｗ３／２）とがほぼ一致するよう、Ｒ３およびＷ３が決定される。すなわち、２π（Ｒ３＋Ｗ３／２）≒ｃ／ｆ１である。また、導電体充足区間３０の長さｄ３、第１ループ状スロット２８の幅Ｗ３、縦方向の配列周期ｐ１および横方向の配列周期ｑ１は、第２透過周波数ｆ２や、反射損失特性、挿入損失特性等が最適化されるよう決定される。
【００３３】
このような構成によれば、周波数選択板は、複数の第１ループ状スロット２８の結合共振によって第１透過周波数ｆ１の電磁波を一方の板面側から他方の板面側へと透過させる。また、複数の第２ループ状スロット２２の結合共振によって第２透過周波数ｆ２の電磁波を一方の板面側から他方の板面側へと透過させる。さらに、第１透過周波数ｆ１および第２透過周波数ｆ２のいずれでもない周波数を有し、周波数選択板を通過しようとする電磁波を減衰させる。
【００３４】
第２実施形態に係る周波数選択板の設計例について説明する。第１透過周波数ｆ１は、携帯電話で用いられる周波数８００ＭＨｚとし、第２透過周波数ｆ２は、ＥＴＣで用いられる周波数５．８ＧＨｚとした。誘電体板１２には、厚さが３．５ｍｍ、比誘電率が８．２のガラスを用い、導電体層１４には銀を用いた。
【００３５】
図５には、この設計例における挿入損失特性および反射損失特性のシミュレーション結果が示されている。この特性は、周波数選択ブロック２６が、縦方向および横方向に無限に配列され、板面に垂直に平面波が入射したものとして計算されたものである。横軸は周波数を示し、左の縦軸は挿入損失を示し、右の縦軸は反射損失を示す。図５から明らかなように、８００ＭＨｚ付近および５．８ＧＨｚ付近で、挿入損失および反射損失が小さくなっている。
【００３６】
なお、図６に示されるように１個の第２ループ状スロット２２を第１ループ状スロット２８の内側に配置したものを構成してもよい。この構成では、図１および図４の構成に比べて隣接する第２ループ状スロット２２の間隔が広く、隣接する第２ループ状スロット２２は第１ループ状スロット２８によって隔てられている。そのため、複数の第２ループ状スロット２２を結合共振させることは容易ではない。しかし、第２ループ状スロット２２の数が少ないため構成を単純化することができ、製造コストを削減することができるという利点がある。
【００３７】
上記では、第１透過周波数を携帯電話の周波数８００ＭＨｚとし、第２透過周波数をＥＴＣで用いられる周波数５．８ＧＨｚとした。このような周波数設計の他、例えば、第１透過周波数ｆ１を携帯電話の周波数８００ＭＨｚとし、第２透過周波数ｆ２を携帯電話の他の周波数２ＧＨｚとしてもよい。また、第２透過周波数ｆ２を無線ＬＡＮの周波数２．４ＧＨｚとしてもよい。
【００３８】
また、上記では、導電体層１４を誘電体板１２の一方の板面に設けた構成について説明した。このような構成の他、導電体層１４を誘電体板１２の内部に設けた構成としてもよい。図７には２層の誘電体層の間に導電体層が形成された周波数選択板の周波数選択ブロック３２の構成が示されている。図７（ａ）は、上側の誘電体層である第１誘電体層３４を取り除いた場合における正面図である。また、図７（ｂ）は、周波数選択ブロック３２のＣＤ線断面図である。図２に示される構成要素と同一の構成要素については同一の符号を付してその説明を省略する。第１誘電体層３４と第２誘電体層３６との間には導電体層１４が形成されている。このような構成では、空気と第１誘電体層３４との間の境界面、第１誘電体層３４と導電体層１４との間の境界面、導電体層１４と第２誘電体層３６との間の境界面、および第２誘電体層３６と空気との間の境界面が、電磁波の伝搬媒質の不連続面となる。
【００３９】
周波数選択板の一方の面から電磁波が入射し、これらの不連続面の間で電磁波が多重反射し、多重反射の結果として他方の面から放射される電磁波の位相が揃った場合、多重反射に基づく共振伝送が可能となる。これによって、第１透過周波数ｆ１および第２透過周波数ｆ２における反射損失および挿入損失が小さくなることがある。したがって、第１誘電体層３４の厚さ、第２誘電体の厚さ、およびこれらの比誘電率は、反射損失特性および挿入損失特性が最適化されるよう決定することが好ましい。
【００４０】
また、本発明に係る周波数選択板には、複数の導電体層を設けてもよい。例えば、誘電体板の両面に導電体層を設けてもよい。これによって、複数のループ状スロットによる共振特性が急峻になり、周波数選択特性を良好にすることができる。  
【００４１】
さらに、第１ループ状スロットおよび第２ループ状スロットの形状は、三角形、五角形、六角形等、その他の多角形としてもよい。この場合においても、第１ループ状スロットおよび第２ループ状スロットのそれぞれの一周の長さは、透過させる電磁波のほぼ一波長の長さとする。また、第１ループ状スロットおよび第２ループ状スロットの数が多い程、挿入損失特性および反射損失特性が良好となることが多い。
【００４２】
本発明に係る周波数選択板は、自動車の窓、ボデー等の一部あるいは全体に用いてもよい。また、車室におけるコンソールボックス、センタークラスタ等に用いてもよいし、ＥＣＵ（Ｅｌｅｃｔｒｏｎｉｃ  Ｃｏｎｔｒｏｌ  Ｕｎｉｔ）等の電気回路のケースに用いてもよい。これによって、車室における無線通信機器の通信を確保すると共に、他の自動車の電気回路から到来するノイズ電磁波を減衰させることができる。また、ＥＣＵが無線通信機能を有するものである場合には、車室において用いられる無線通信機器と同様の効果を得ることができる。
【００４３】
近年の自動車のボデーは、金属に代わって樹脂等で形成された部分が多く、ノイズ電磁波干渉の抑制効果が弱い傾向にある。そこで、ボデーのうち樹脂で形成された部分に周波数選択板を設けることで、ノイズ電磁波干渉の抑制効果を高めることができる。また、自動車の窓に周波数選択板を設けた場合には、太陽光の遮断によって車室の温度上昇を抑制することができる。
【符号の説明】
【００４４】
１０  周波数選択板、１２  誘電体板、１４  導電体層、１６，２６，３２  周波数選択ブロック、１８，２８  第１ループ状スロット、２０，２４，３０  導電体充足区間  ２２  第２ループ状スロット、３４  第１誘電体層、３６  第２誘電体層。
【図１】
0005835705.tif 000002
【図２】
0005835705.tif 000003
【図３】
0005835705.tif 000004
【図４】
0005835705.tif 000005
【図５】
0005835705.tif 000006
【図６】
0005835705.tif 000007
【図７】
0005835705.tif 000008